【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記複数ページが印刷されるシートのサイズが前記印刷中に変わることがあるか否かを判定し、前記判定の結果に少なくとも基づいて、前記印刷時間を予測する
ことを特徴とする印刷装置。
【請求項２】
請求項１に記載の印刷装置であって、
前記予測手段は、前記印刷ジョブの受信後、且つ、前記印刷指示の受付前に、前記予測を行う
ことを特徴とする印刷装置。
【請求項３】
請求項１または２に記載の印刷装置であって、
前記予測手段は、前記複数ページが印刷されるシートのサイズが前記印刷中に変わることがあると判定された場合に、サイズの切り替えに関する所定の時間が加算された前記印刷時間を予測する
ことを特徴とする印刷装置。
【請求項４】
請求項１乃至３のいずれか一項に記載の印刷装置であって、
前記予測手段は、
前記複数ページが印刷されるシートのサイズが前記印刷中に変わることが一切ないと判定された場合に、シートのサイズの切り替えに関する前記所定の時間が加算されない前記印刷時間を予測する
ことを特徴とする印刷装置。
【請求項５】
請求項１乃至４のいずれか一項に記載の印刷装置であって、
前記予測手段は、前記印刷ジョブに含まれる連続２ページ間で、前記連続２ページが印刷されるシートのサイズが変わるか否かを判定し、前記判定の結果に少なくとも基づいて、前記印刷時間を予測する
ことを特徴とする印刷装置。
【請求項６】
請求項５に記載の印刷装置であって、
前記印刷ジョブは、ページが印刷されるシートを指定するＰＤＬコマンドを少なくとも含み、 
前記予測手段は、前記連続２ページのうちの一方のページに含まれるＰＤＬコマンドに従って決まるシートのサイズが、前記連続２ページのうちの他方のページのシートのサイズと異なることに基づいて、前記連続２ページが印刷されるシートのサイズが変わると判定し、前記判定の結果に少なくとも基づいて、前記印刷時間を予測する
ことを特徴とする印刷装置。
【請求項７】
複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記複数ページが印刷されるシートのタイプが前記印刷中に変わることがあるか否かを判定し、前記判定の結果に少なくとも基づいて、前記印刷時間を予測する
ことを特徴とする印刷装置。
【請求項８】
請求項７に記載の印刷装置であって、
前記予測手段は、前記印刷ジョブの受信後、且つ、前記印刷指示の受付前に、前記予測を行う
ことを特徴とする印刷装置。
【請求項９】
請求項７または８に記載の印刷装置であって、
前記予測手段は、前記複数ページが印刷されるシートのタイプが前記印刷中に変わることがあると判定された場合に、タイプの切り替えに関する所定の時間が加算された前記印刷時間を予測する
ことを特徴とする印刷装置。
【請求項１０】
請求項７乃至９のいずれか一項に記載の印刷装置であって、
前記予測手段は、前記複数ページが印刷されるシートのタイプが前記印刷中に変わることが一切ないと判定された場合に、シートのタイプの切り替えに関する前記所定の時間が加算されない前記印刷時間を予測する
ことを特徴とする印刷装置。
【請求項１１】
請求項７乃至１０のいずれか一項に記載の印刷装置であって、
前記予測手段は、前記印刷ジョブに含まれる連続２ページ間で、前記連続２ページが印刷されるシートの坪量が変わるか否かを判定し、前記判定の結果に少なくとも基づいて、前記印刷時間を予測する
ことを特徴とする印刷装置。
【請求項１２】
請求項１１に記載の印刷装置であって、
前記印刷ジョブは、ページが印刷されるシートを指定するＰＤＬコマンドを少なくとも含み、 
前記予測手段は、前記連続２ページのうちの一方のページに含まれるＰＤＬコマンドに従って決まるシートの坪量が、前記連続２ページのうちの他方のページのシートの坪量と異なることに基づいて、前記連続２ページが印刷されるシートの坪量が変わると判定し、前記判定の結果に少なくとも基づいて、前記印刷時間を予測する
ことを特徴とする印刷装置。
【請求項１３】
複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記印刷手段の調整が前記印刷中に行われることがあるか否かを判定し、前記判定の結果に少なくとも基づいて、前記印刷時間を予測する
ことを特徴とする印刷装置。
【請求項１４】
請求項１３に記載の印刷装置であって、
前記予測手段は、前記印刷手段の定着温度の変更処理、および、前記印刷手段のクリーニング処理の少なくとも１つが、前記印刷中に行われることがあるか否かを判定し、前記判定の結果に少なくとも基づいて、前記印刷時間を予測する
ことを特徴とする印刷装置。
【請求項１５】
請求項１３または１４に記載の印刷装置であって、
前記予測手段は、前記印刷手段の前記調整が前記印刷中に行われることがあると判定された場合に、前記調整に関する所定の時間が加算された前記印刷時間を予測する
ことを特徴とする印刷装置。
【請求項１６】
請求項１３乃至１５のいずれか一項に記載の印刷装置であって、
前記予測手段は、前記印刷手段の前記調整が前記印刷中に行われることが一切ないと判定された場合に、前記調整に関する前記所定の時間が加算されない前記印刷時間を予測する
ことを特徴とする印刷装置。
【請求項１７】
印刷ジョブの印刷時間を予測する方法であって、
複数ページを含む印刷ジョブを外部装置から受信し、
前記受信された印刷ジョブの印刷時間を予測し、
前記予測が行われた印刷ジョブの印刷指示を、ユーザーから受け付け、
前記印刷指示が受け付けられたことにしたがって、前記印刷ジョブに含まれる前記複数ページをシートに印刷することを含み、
前記予測することは、
前記複数ページが印刷されるシートのタイプが前記印刷中に変わることがあるか否かを判定し、
前記判定の結果に少なくとも基づいて、前記印刷時間を予測することを含む
ことを特徴とする方法。
【請求項１８】
請求項１７に記載の方法であって、
前記予測は、前記印刷ジョブの受信後、且つ、前記印刷指示の受付前に、行われる
ことを特徴とする方法。
【請求項１９】
請求項１７または１８に記載の方法であって、
前記タイプは、少なくとも、シートのサイズ、および、シートの坪量の１つを含む
ことを特徴とする方法。
【手続補正２】
【補正対象書類名】明細書
【補正対象項目名】０００７
【補正方法】変更
【補正の内容】
【０００７】
本発明の第１の側面によれば、複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記複数ページが印刷されるシートのサイズが前記印刷中に変わることがあるか否かを判定し、前記判定の結果に少なくとも基づいて、前記印刷時間を予測する
ことを特徴とする印刷装置が提供される。
【手続補正３】
【補正対象書類名】明細書
【補正対象項目名】０００８
【補正方法】変更
【補正の内容】
【０００８】
本発明の第２の側面によれば、複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記複数ページが印刷されるシートのタイプが前記印刷中に変わることがあるか否かを判定し、前記判定の結果に少なくとも基づいて、前記印刷時間を予測する
ことを特徴とする印刷装置が提供される。
本発明の第３の側面によれば、複数ページを含む印刷ジョブを外部装置から受信する受信手段と、
前記受信された印刷ジョブの印刷時間を予測する予測手段と、
前記予測が行われた印刷ジョブの印刷指示を、ユーザーから受け付ける受け付け手段と、
前記印刷指示が受け付けられたことにしたがって、前記印刷ジョブに含まれる前記複数ページをシートに印刷する印刷手段とを有し、
前記予測手段は、前記印刷手段の調整が前記印刷中に行われることがあるか否かを判定し、前記判定の結果に少なくとも基づいて、前記印刷時間を予測する
ことを特徴とする印刷装置が提供される。